(57)【要約】【課題】ハウジング及び制御ユニットの位置合せを短時間で簡単に行うことができる電動パワーステアリング装置を提供する。【解決手段】ステアリング操作を補助する電動モータと、この電動モータを制御する制御ユニット１９と、電動モータ及び制御ユニットを外周に装着するハウジング４とを備えてなる電動パワーステアリング装置１である。この装置は、ハウジングを軸方向から見て制御ユニットを装着した位置をハウジング投影領域ＰＡとすると、ハウジングに、ハウジング投影領域から外れた位置４ｅに位置合せ部が形成されている。また、制御ユニットには、ハウジング投影領域から外れた位置に、位置合せ部２６ｂと、この位置合せ部２６ｂに対して離間した位置に位置合せ部２４ｅ１が形成されている。【選択図】図７
2010105638.tif 000002
【特許請求の範囲】
【請求項１】
ステアリング操作を補助する電動モータと、この電動モータを制御する制御ユニットと、前記電動モータ及び前記制御ユニットを外周に装着するハウジングとを備えてなる電動パワーステアリング装置において、
前記ハウジングを軸方向から見て前記制御ユニットを装着した位置をハウジング投影領域とすると、当該ハウジング投影領域から外れた前記ハウジング及び前記制御ユニットの所定部位に、前記ハウジング及び前記制御ユニットの位置合せを行う位置合せ部を形成したことを特徴とする電動パワーステアリング装置。
【請求項２】
前記制御ユニットは、前記ハウジング投影領域から外れて互いに離間した部位に第１及び第２ユニット側位置合せ部が形成されていることを特徴とする請求項１記載の電動パワーステアリング装置。
【請求項３】
前記ハウジングは、前記制御ユニットを装着する方向に延在する複数のハウジング側接続端子を備え、前記制御ユニットは、前記複数のハウジング側接続端子に夫々電気的に接続する複数の制御ユニット側接続端子を備えており、
前記位置合せ部は、前記複数のハウジング側接続端子及び前記複数の制御ユニット側接続端子の夫々を同心位置に設定することを特徴とする請求項１又は２に記載の電動パワーステアリング装置。
【発明の詳細な説明】
【技術分野】
【０００１】
本発明は、ステアリング操作を補助する電動モータと電動モータを制御する制御ユニットとをハウジングに装着した機電一体型の電動パワーステアリング装置に関する。
【背景技術】
【０００２】
従来の電動パワーステアリング装置として、例えばラック軸が摺動自在に収容あるいは装着されるラックケース又はハウジングの一部に電動モータが収容され、この電動モータを駆動制御する制御基板が収容される制御ユニットがラックケース又はハウジングに形成され、制御ユニットの開口に対向する底部に形成された取付ボスに前記開口から挿入された制御基板が当接すると、モータから制御ユニット内に突設されたモータ側接続端子に制御基板に設けられた基板接続端子が互いに接触して電気的に接続する電動パワーステアリング装置が提案されている（例えば特許文献１参照）。
【０００３】
この特許文献１に記載の従来例にあっては、モータと制御基板との間に電気的接続線を介挿することなく直付けすることにより、モータと制御基板との間で配線長を最短として電気ノイズが乗ることを防止することができるとともに、配線抵抗を少なくして電気的損失を低減することができる。
しかし、モータを制御する制御基板にはステアリングシャフトに伝達されるトルクを検出するトルクセンサのトルク検出値を入力する必要があり、このトルクセンサは、通常ラックケース又はハウジングより離れたステアリングホイール側に設置されており、このトルクセンサと制御基板との間に長い接続ケーブルを設ける必要があり、この接続ケーブルに電気ノイズが乗りやすくなるため、高額なシールド線の採用や、ノイズフィルターなどの電子部品の追加が必要となっていた。
【０００４】
そこで、ハウジングの外周にハウジング側取付面を形成し、このハウジング側取付面に制御基板を組込んだ制御ユニットを装着する構造とし、ハウジングに内装したトルクセンサに接続されている複数のセンサ接続端子（トルクセンサピン）をハウジング側取付面の近傍から外部に突出し、ハウジング側取付面に装着する制御ユニットの制御基板に設けた複数のスルーホールに挿通し、両者を半田付けすることで電気的に直接接続する構造とし、制御基板とトルクセンサとの間の接続距離を最短として両者間の電気ノイズ、電気的損失を防止する機電一体型の電動パワーステアリング装置が開発されてきている（例えば特許文献２参照）。
【特許文献１】特開２００５−３２９８６６号公報
【特許文献２】特開２００７−２３２６０２号公報
【発明の開示】
【発明が解決しようとする課題】
【０００５】
ところで、機電一体型の電動パワーステアリング装置には、ハウジング外周への制御ユニットの取付構造の違いにより、トルクセンサから外部にストレートに延在している複数の短尺なトルクセンサピン、或いは、トルクセンサから外部にＬ字状に延在している複数の長尺なトルクセンサピンが存在する。
Ｌ字状の長尺なトルクセンサピンの先端部は、ストレート形状の短尺なトルクセンサピンと比較して同心度が低く、制御ユニットに設けた複数のスルーホールに挿通するために位置合せを行う際には、多くの手間と時間を要しているのが現状である。
【０００６】
そこで、本発明は、上記従来例の未解決の課題に着目してなされたものであり、例えばハウジングから突出している複数のハウジング側接続端子が長尺であっても、これらハウジング側接続端子と、制御ユニットに設けた複数の制御ユニット接続端子とが電気的に接続可能な位置となるように、ハウジング及び制御ユニットの位置合せを短時間で簡単に行うことができる電動パワーステアリング装置を提供することを目的としている。
【課題を解決するための手段】
【０００７】
上記目的を達成するために、請求項１に係る電動パワーステアリング装置は、ステアリング操作を補助する電動モータと、この電動モータを制御する制御ユニットと、前記電動モータ及び前記制御ユニットを外周に装着するハウジングとを備えてなる電動パワーステアリング装置において、前記ハウジングを軸方向から見て前記制御ユニットを装着した位置をハウジング投影領域とすると、当該ハウジング投影領域から外れた前記ハウジング及び前記制御ユニットの所定部位に、前記ハウジング及び前記制御ユニットの位置合せを行う位置合せ部を形成した。
【０００８】
また、請求項２記載の発明は、請求項１記載の電動パワーステアリング装置において、前記制御ユニットは、前記ハウジング投影領域から外れて互いに離間した部位に第１及び第２ユニット側位置合せ部が形成されている。
さらに、請求項３記載の発明は、請求項１又は２記載の電動パワーステアリング装置において、前記ハウジングは、前記制御ユニットを装着する方向に延在する複数のハウジング側接続端子を備え、前記制御ユニットは、前記複数のハウジング側接続端子に夫々電気的に接続する複数の制御ユニット側接続端子を備えており、前記位置合せ部は、前記複数のハウジング側接続端子及び前記複数の制御ユニット側接続端子の夫々を同心位置に設定するようにした。
【発明の効果】
【０００９】
本発明に係る電動パワーステアリング装置によると、ハウジング投影領域から外れたハウジング及び制御ユニットの所定部位に、ハウジング及び制御ユニットの位置合せを行う位置合せ部を形成したことで、例えば位置合せ部に係合する簡便な構造の冶具を使用することで、ハウジング及び制御ユニットの位置合せ及び装着を、短時間で簡単に行うことができる。また、ハウジング及び制御ユニトには、位置合せのための複雑な加工が不要となるので、製造コストの低減化も図ることができる。
【発明を実施するための最良の形態】
【００１０】
以下、本発明を実施するための最良の形態（以下、実施形態という。）を、図面を参照しながら詳細に説明する。
図１は、本発明に係る電動パワーステアリング装置の一実施形態を右ハンドル車に適用した場合の右方向から示した斜視図、図２は減速ギヤボックスの要部を示す縦断面図、
図３は電動モータの内部構造を示す正面図、図４は制御ユニットの分解斜視図、図５は制御ユニットが装着する減速ギヤボックスの外周形状を示す斜視図、図６は減速ギヤボックス及び制御ユニットを背面側から示した斜視図、図７は減速ギヤボックス及び制御ユニットの装着構造を示した図、図８は減速ギヤボックス及び制御ユニットの装着に使用する位置決め冶具を示す斜視図、図９は位置決め冶具に減速ギヤボックスをセットした状態を示す図、図１０は位置決め冶具に減速ギヤボックス及び制御ユニットをセットした状態を示す図である。
【００１１】
図１において、符号１はコラム型の電動パワーステアリング装置であり、ステアリングホイール（図示せず）に連結されたステアリングシャフト２を回転自在に内装するステアリングコラム３に、減速ギヤボックス４が連結され、この減速ギヤボックス４に、軸方向がステアリングコラム３の軸方向と直交する方向に延長された電動モータ５が配設されている。
【００１２】
ステアリングコラム３は、内管３ａ及び外管３ｂの２重管構造となっている。そして、ステアリングコラム３の外管３ｂ及び減速ギヤボックス４が、アッパ取付ブラケット６及びロア取付ブラケット７によって車体側に取付けられている。ロア取付ブラケット７は、車体側部材（不図示）に取付けられる取付板部７ａと、この取付板部７ａの下面から左右方向に所定間隔を保って平行に延長する一対の支持板部７ｂとで形成されている。そして、支持板部７ｂの下端が、減速ギヤボックス４の車両前方側に一体形成された支持部（不図示）に枢軸７ｃを介して回動自在に連結されている。
【００１３】
アッパ取付ブラケット６は、車体側部材（不図示）に取付けられる取付板部６ａと、この取付板部６ａの下端に固定されて左右（車幅）方向に離間している１対の支持板部６ｂと、これら一対の支持板部６ｂに形成されたステアリングコラム３の外管３ｂを支持するチルト機構６ｃとを備えている。そして、チルト機構６ｃのチルトレバー６ｇを回動させ、外管３ｂの支持状態を解除することにより、ステアリングコラム３をロア取付ブラケット７の枢軸７ｃを中心として上下にチルト位置調整可能とされている。
【００１４】
ステアリングシャフト２は、図２に示すように、上端がステアリングホイール（図示せず）に連結される入力軸２ａと、この入力軸２ａの下端にトーションバー２ｂを介して連結されたトーションバー２ｂを覆う出力軸２ｃとで構成されている。
減速ギヤボックス４は、高熱伝導性を有する材料例えばアルミニウム、アルミニウム合金、マグネシウム及びマグネシウム合金の何れか１つを例えばダイキャスト成型することにより形成されている。
【００１５】
減速ギヤボックス４は、図２に示すように、電動モータ５の出力軸（不図示）に連接されたウォーム１１を収納するウォーム収納部１２と、このウォーム収納部１２の下側にその中心軸と直交する中心軸を有しウォーム１１に噛合するウォームホイール１３を収納するウォームホイール収納部１４と、このウォームホイール収納部１４の車両後方側に一体に同軸的に連結されたトルクセンサ１５を収納するトルクセンサ収納部１６と、ウォーム収納部１２の開放端面に形成された電動モータ５を取付けるモータ取付部１７と、トルクセンサ収納部１６の車両後端に形成された筒状のコラム取付部１８と、ウォーム収納部１２とウォームホイール収納部１４の一部に跨がって形成され、ウォーム収納部１２とその下側のウォームホイール収納部１４の上部側とで形成した平坦取付面２０ａを有する制御ユニット１９を装着する制御ユニット装着部２０とを備えている。そして、減速ギヤボックス４のコラム取付部１８に、ステアリングコラム３の車両前端部が外嵌されて連結されている。
【００１６】
前記トルクセンサ１５は、ステアリングシャフト２の入力軸２ａ及び出力軸２ｃ間の捩じれ状態を磁気的に検出してステアリングシャフトに伝達された操舵トルクを一対の検出コイル１５ａ及び１５ｂで検出するように構成され、これら一対の検出コイル１５ａ，１５ｂの巻き始め及び巻き終わりに夫々ステアリングコラム３の中心軸と直交する方向に平行に外部に突出するセンサ接続端子１５ｃ〜１５ｆが接続され、これらセンサ接続端子１５ｃ〜１５ｆの突出部が、トルクセンサ収納部１６の一部に設けた開口部から突出し、ステアリングコラム３の中心軸と平行に折り曲げられてＬ字状に形成されている。
【００１７】
減速ギヤボックス４の外周形状は、図５に示すように、減速ギヤボックス４の外周に、平坦取付面２０ａに面する側のモータ取付部１７側の上部及び下部にギヤボックス側取付部４ａ，４ｂが形成され、これらギヤボックス側取付部４ａ，４ｂに対して平坦取付面２０ａを間に挟んで逆側の位置の上部及び下部にもギヤボックス側取付部４ｃ，４ｄが形成されている。
【００１８】
また、平坦取付面２０ａに対して上方位置の減速ギヤボックス４の外周に膨出部４ｅが形成されており、この膨出部４ｅの平坦取付面２０ａに対して逆側を向く面（背面）には、図６に示すように、ウォームホイールカバーの固定ねじ用孔を兼ねた位置合せ孔４ｅ１が形成されている。この位置合せ孔４ｅ１の軸心は、トルクセンサ収納部１６の一部に設けた開口部から突出し、ステアリングコラム３の中心軸と平行に延在しているセンサ接続端子１５ｃ〜１５ｆ（図５参照）の先端部に対して平行となるように形成されている。
【００１９】
電動モータ５は、図３に示すように、制御ユニット装着部２０に装着された制御ユニット１９に近接対向する位置に２個の接続端子５ｃ，５ｄが形成されている。これら接続端子５ｃ，５ｄの夫々は、底部中央にアーマチュア挿通孔を有する合成樹脂製のブラシ支持体５ｆ内に互いに絶縁されて配設され、２組のブラシ５ｇ，５ｈに個別に接続された円弧状の接続端子５ｉ及び５ｊの互いに対向する一端に一体に形成されている。
【００２０】
制御ユニット１９は、図４に示すように、金属材料からなる放熱プレート２１と、パワー基板２３と、長方形枠状の合成樹脂からなるフレーム２４と、制御基板２５と、合成樹脂からなるカバー２６とを備えている。
パワー基板２３は、電動モータ５を駆動制御する電界効果トランジスタ等のパワースイッチング素子で構成されるＨブリッジ回路やこのＨブリッジ回路のパワースイッチング素子を駆動するパルス幅変調回路等のディスクリート部品２３ａ，２３ｂが実装されている。
【００２１】
制御基板２５は、フレーム２４の正面に取付けられ、トルクセンサ１５のセンサ接続端子１５ｃ〜１５ｆを直接挿通するスルーホール２５ａ〜２５ｄが穿設されている。また、制御基板２５には、トルクセンサ１５からのトルク検出値や図示しない車速センサからの車速検出値に基づいて操舵補助電流指令値を算出し、この操舵補助電流指令値と電動モータ５に出力するモータ電流の検出値とに基づいて電流フィードバック制御を行ってパワー基板２３のパルス幅変調回路への電圧指令値を算出することにより、電動モータ５で発生させる操舵補助力を制御するマイクロコントロールユニット（ＭＣＵ（不図示））が実装される。さらに、制御基板２５には、周辺機器等のアキシャル型ディスクリート部品２５ｅ、ラジアル型ディスクリート部品２５ｆが実装されている。
【００２２】
パワー基板２３及び制御基板２５は、接続端子２２ａを介して接続される。
フレーム２４は、制御基板２５を保持し、パワー基板２３を囲繞する長方形枠状のフレーム本体２４ａと、フレーム本体２４ａの長手方向の一方の端部に一体に形成され、電動モータ５の接続端子５ｃ，５ｄに電気的に接続する端子台２４ｃと、フレーム本体２４ａの四隅の外周に一体に形成されたフレーム取付部２４ｄ，２４ｅ，２４ｆ，２４ｇと、保持した制御基板２５のスルーホール２５ａ〜２５ｄに対応するようにフレーム本体２４ａの一部に設けられた複数の端子ガイド孔２４ｈと、フレーム本体２４ａの長手方向の他方の端部に一体に形成された雌型コネクタ４５とを備えている。
【００２３】
ここで、フレーム取付部２４ｅの端部には、制御ユニット１９の位置合せに使用する位置合せ貫通孔２４ｅ１が形成されている。
雌型コネクタ４５は、バッテリ（不図示）に電源用雄型コネクタ（不図示）を介して接続される電源コネクタ４５ａと、車体の各部の制御機器とのデータの授受を行うＣＡＮなどのネットワークに接続する信号コネクタ４５ｂとを備えている。
【００２４】
カバー２６は、パワー基板２３、合成樹脂製のフレーム２４及び制御基板２５を覆う箱形状の部材であり、カバー縁部には、外方に突出するカバー取付部２６ａ，２６ｂが形成されている。そして、一方のカバー取付部２６ｂの外周には、互いに交差する一対の位置合せ面２６ｂ１，２６ｂ２が形成されている。
放熱プレート２１は、制御ユニット装着部２０の平坦取付面２０ａに放熱グリースを介して直接固定される。この放熱プレート２１は、高熱伝動性を有する金属材料、例えばアルミニウム、アルミニウム合金、マグネシウム及びマグネシウム合金の何れか１つの材料により形成された部材であり、制御ユニット装着部２０の平坦取付面２０ａに当接する平坦な放熱用取付板部２１ａと、この放熱用取付板部２１ａに一体形成され、放熱用取付板部２１ａの板厚方向の一方に膨出しているディスクリートカバー部２１ｂと、放熱用取付板部２１ａの周縁に形成したねじ通過孔２１ｃ〜２１ｆと、パワー基板２３を固定するためのねじ孔２１ｇ〜２１ｉとを備えている。
【００２５】
そして、上記構成の制御ユニット１９は、図７に示すように、互いに対応したカバー取付部２６ａ及びフレーム取付部２４ｆ（図７では不図示）が締結ねじ３０を介してギヤボックス側取付部４ｃに締結され、フレーム取付部２４ｄが締結ねじ３０を介してギヤボックス側取付部４ｄに締結され、カバー取付部２６ｂが締結ねじ３０を介してギヤボックス側取付部４ｄに締結され、フレーム取付部２４ｅが締結ねじ３０を介してギヤボックス側取付部４ｂに締結され、フレーム取付部２４ｇが締結ねじ３０を介してギヤボックス側取付部４ａに締結されることで、減速ギヤボックス４の平坦取付面２０ａに、放熱プレート２１の背面が当接した状態で装着される。
【００２６】
ここで、本実施形態の電動パワーステアリング装置１は、図８から図１０に示すように、位置合せ冶具３２を使用して減速ギヤボックス４及び制御ユニット１９の位置合せを行う。
位置合せ冶具３２は、図８に示すように、冶具本体３３と、この冶具本体３３上に設けた円盤形状の収納部係合部３４、短尺な第１ピン３５、長尺な第２ピン３６及びギヤボックス・ユニット角度合せ部３７とを備えている。
【００２７】
第１ピン３５及び第２ピン３６は、冶具本体３３の基準面３３ａに対して直交する方向に軸心が延在している。
ギヤボックス・ユニット角度合せ部３７は、ブロック形状をなし、第１ピン３５側を向く位置に、基準面３３ａに対して直交して延在し、互いに交差する第１位置合せ平面３７ａ及び第２位置合せ平面３７ｂが形成されている。
【００２８】
そして、図９に示すように、減速ギヤボックス４は、収納部係合部３４にウォームホイール収納部１４が嵌まり込み、減速ギヤボックス４の膨出部４ｅに形成した位置合せ孔４ｅ１に第１ピン３５が嵌まり込み、平坦取付面２０ａが基準面３３ａに対して平行とされて上方を向き、回転が規制されて位置合せ冶具３２にセットされている。
この際、図９では示していないが、トルクセンサ収納部１６の一部に設けた開口部から突出している複数のセンサ接続端子１５ｃ〜１５ｆは、先端部が上方を向いて延在している。
【００２９】
また、図１０に示すように、制御ユニット１９は、フレーム取付部２４ｅの端部に形成した位置合せ貫通孔２４ｅ１に第２ピン３６が挿通し、カバー取付部２６ｂの外周に形成した一対の位置合せ面２６ｂ１，２６ｂ２が、ギヤボックス・ユニット角度合せ部３７の第１位置合せ平面３７ａ及び第２位置合せ平面３７ｂに当接し、減速ギヤボックス４を介して位置合せ冶具３２にセットされている。
【００３０】
このように、位置合せ冶具３２の第２ピン３６及びギヤボックス・ユニット角度合せ部３７の第１位置合せ平面３７ａ及び第２位置合せ平面３７ｂに係合した制御ユニット１９は、スルーホール２５ａ〜２５ｄ（制御基板２５に穿設した孔）が、先端部が上方に向いて延在している減速ギヤボックス４の複数のセンサ接続端子１５ｃ〜１５ｆの夫々に対して、同心（図１０で示す基準面３３ａ内のＸ方向及びＹ方向の位置が一致した状態）の上方に、回転が規制されて配置される。
【００３１】
次に、位置合せ冶具３２を使用した減速ギヤボックス４及び制御ユニット１９の位置合せ手順について、図９及び図１０を参照して説明する。
先ず、図９に示すように、ウォームホイール収納部１４を収納部係合部３４に嵌め込み、位置合せ孔４ｅ１に第１ピン３５を嵌め込むことで、減速ギヤボックス４を平坦取付面２０ａが上方を向いて回転が規制された状態で冶具本体３３上にセットする。
【００３２】
次いで、制御ユニット１９の位置合せ貫通孔２４ｅ１に第２ピン３６の先端部を係合し、カバー取付部２６ｂの一対の位置合せ面２６ｂ１，２６ｂ２を、ギヤボックス・ユニット角度合せ部３７の第１位置合せ平面３７ａ及び第２位置合せ平面３７ｂに当接し、制御ユニット１９を回転が規制された状態とする。
そして、図１０に示すように、第２ピン３６及びギヤボックス・ユニット角度合せ部３７をガイド部材として制御ユニット１９全体を下方に移動し、制御ユニット１９の背面（放熱プレート２１）を減速ギヤボックス４の平坦取付面２０ａに近接させていく。これにより、先端部が上方を向いて延在している減速ギヤボックス４の複数のセンサ接続端子１５ｃ〜１５ｆは、同心上の制御ユニット１９の複数の端子ガイド孔２４ｈの夫々に通過し、さらに、同心上に配置されている複数のスルーホール２５ａ〜２５ｄの夫々に挿通していく。これにより、減速ギヤボックス４及び制御ユニット１９の位置合せが完了する。
【００３３】
ここで、図７に示すように、減速ギヤボックス４を軸方向から見て制御ユニット１９が装着されている領域（平坦取付面２０ａを含んで制御ユニット１９が重なっている領域：符号ＰＡで示す領域）が、本発明のハウジング投影領域に対応している。
また、ハウジング投影領域ＰＡから外れた位置である減速ギヤボックス４の膨出部４ｅに形成した位置合せ孔４ｅ１が本発明のハウジングに形成した位置合せ部に対応している。また、ハウジング投影領域ＰＡから外れた位置に形成されている制御ユニット１９のカバー取付部２６ｂの外周に形成した一対の位置合せ面２６ｂ１，２６ｂ２が本発明の第１及び第２ユニット側位置合せ部の一方に対応し、制御ユニット１９のフレーム取付部２４ｅに形成した位置合せ貫通孔２４ｅ１が、本発明の第１及び第２ユニット側位置合せ部の他方に対応している。
また、本発明のハウジングが減速ギヤボックス４に対応し、本発明のハウジング側接続端子がセンサ接続端子１５ｃ〜１５ｆに対応し、本発明の制御ユニット接続端子がスルーホール２５ａ〜２５ｄに対応している。
【００３４】
次に、位置合せ冶具３２を使用して減速ギヤボックス４及び制御ユニット１９の位置合せを行う際の効果について述べる。
位置合せ冶具３２の第１ピン３５及び収納部係合部３４に減速ギヤボックス４を係合すると、複数のセンサ接続端子１５ｃ〜１５ｆの先端部が上方を向き、平坦取付面２０ａが上方を向いた状態で減速ギヤボックス４が回転が規制されてセットされ、位置合せ冶具３２の第２ピン３６及びギヤボックス・ユニット角度合せ部３７に制御ユニット１９を係合すると、制御ユニット１９は回転が規制されつつ、スルーホール２５ａ〜２５ｄが複数のセンサ接続端子１５ｃ〜１５ｆの同心上に配置されるので、複数のセンサ接続端子１５ｃ〜１５ｆが長尺であっても、手間と時間を要せずに複数のセンサ接続端子１５ｃ〜１５ｆとスルーホール２５ａ〜２５ｄとを電気的に接続可能な位置に配置することができる。
【００３５】
そして、位置合せ冶具３２の第２ピン３６及び収納部係合部３４をガイド部材として制御ユニット１９全体を下方に移動するだけで、複数のセンサ接続端子１５ｃ〜１５ｆをスルーホール２５ａ〜２５ｄに挿通することができるので、簡便な動作で減速ギヤボックス４及び制御ユニット１９の位置合せ作業を行うことができる。
また、減速ギヤボックス４は、膨出部４ｅに位置合せ孔４ｅ１を形成しただけの簡便な位置合せ構造であり、制御ユニット１９も、フレーム取付部に位置合せ貫通孔２４ｅ１を形成し、カバー取付部２６ｂの外周に位置合せ面２６ｂ１，２６ｂ２を形成しただけの簡便な位置合せ構造なので、電動パワーステアリング装置１の製造コストの低減化も図ることができる。
【００３６】
なお、位置合せ冶具３２の構造、減速ギヤボックス４及び制御ユニット１９の位置合せのための構造は上記実施形態の構造に限るものではなく、位置合せ冶具３２に係合する減速ギヤボックス４及び制御ユニット１９が、それらのセンサ接続端子１５ｃ〜１５ｆ及びスルーホール２５ａ〜２５ｄを同心上に配置するものであれば、他の形状、構造を採用してもよい。
【００３７】
また、電動モータ５としてブラシモータを適用した場合について説明したが、これに限定されるものではなく、ブラシレスモータを適用するようにしてもよく、この場合には、接続端子５ｃ，５ｄを各相の励磁コイルの給電側に接続すると共に、パワー基板２３にブラシレスモータを駆動する例えば電界効果トランジスタ（ＦＥＴ）を有するインバータ回路及びインバータ回路の電界効果トランジスタのゲートをパルス幅変調信号で駆動するゲート駆動回路とを実装すればよい。
【００３８】
さらに、上記実施形態においては、本発明を右ハンドル車に適用した場合について説明したが、これに限定されるものではなく、左ハンドル車に適用する場合には、減速ギヤボックス４、電動モータ５及び制御ユニット１９の配置をステアリングコラム３の中心軸を通る垂直面を挟んで面対称に即ち制御ユニット１９の右側に電動モータ５を配置し、制御ユニット１９の雌型コネクタ４５及び端子台２４ｃを左側に配置すればよく、さらには電動モータ５を車両外側に、雌型コネクタ４５及び端子台２４ｃを車両内側に配置するようにしてもよい。
【図面の簡単な説明】
【００３９】
【図１】本発明に係る電動パワーステアリング装置の一実施形態を右ハンドル車に適用した場合の右方向から示した斜視図である。
【図２】ハウジング（減速ギヤボックス）の要部を示す縦断面図である。
【図３】電動モータの内部構造を示す正面図である。
【図４】制御ユニットの分解斜視図である。
【図５】制御ユニットが装着するハウジング（減速ギヤボックス）の外周形状を示す斜視図である。
【図６】ハウジング（減速ギヤボックス）及び制御ユニットを背面側から示した斜視図である。
【図７】ハウジング（減速ギヤボックス）及び制御ユニットの装着構造を示した図である。
【図８】本発明に係る位置決め冶具を示す斜視図である。
【図９】位置決め冶具にハウジング（減速ギヤボックス）をセットした状態を示す図である。
【図１０】位置決め冶具にハウジング（減速ギヤボックス）及び制御ユニットをセットした状態を示す図である。
【符号の説明】
【００４０】
１…電動パワーステアリング装置、２…ステアリングシャフト、２ａ…入力軸、２ｂ…トーションバー、２ｃ…出力軸、３…ステアリングコラム、３ａ…内管、３ｂ…外管、４…減速ギヤボックス、４ａ，４ｂ，４ｃ，４ｄ…ギヤボックス側取付部、４ｅ…膨出部、４ｅ１…位置合せ孔、５…電動モータ、５ｂ…取付フランジ、５ｃ…接続端子、５ｃ，５ｄ…接続端子、５ｆ…ブラシ支持体、５ｇ，５ｈ…ブラシ、５ｉ，５ｊ…接続端子、６…アッパ取付ブラケット、６ａ…取付板部、６ｂ…支持板部、６ｃ…チルト機構、６ｇ…チルトレバー、７…ロア取付ブラケット、７ａ…取付板部、７ｂ…支持板部、７ｃ…枢軸、１１…ウォーム、１２…ウォーム収納部、１３…ウォームホイール、１４…ウォームホイール収納部、１５…トルクセンサ、１５ａ，１５ｂ…検出コイル、１５ｃ〜１５ｆ…センサ接続端子、１６…トルクセンサ収納部、１７…モータ取付部、１８…コラム取付部、１９…制御ユニット、２０…制御ユニット装着部、２０ａ…平坦取付面、２１…放熱プレート、２１ａ…放熱用取付板部、２１ｂ…ディスクリートカバー部、２１ｃ〜２１ｆ…ねじ通過孔、２１ｇ〜２１ｉ…ねじ孔、２２ａ…接続端子、２３…パワー基板、２３ａ，２３ｂ…ディスクリート部品、２４…フレーム、２４ａ…フレーム本体、２４ｃ…端子台、２４ｄ，２４ｅ，２４ｆ，２４ｇ…フレーム取付部、２４ｅ１…位置合せ貫通孔、２４ｈ…端子ガイド孔、２５…制御基板、２５ａ〜２５ｄ…スルーホール、２５ｅ…アキシャル型ディスクリート部品、２５ｆ…ラジアル型ディスクリート部品、２６…カバー、２６ａ，２６ｂ…カバー取付部、２６ｂ１，２６ｂ２…位置合せ面、２７…端子カバー、３０…締結ねじ３０、３２…位置合せ冶具、３３…冶具本体、３３ａ…基準面、３４…収納部係合部、３５…第１ピン、３６…第２ピン、３７…ギヤボックス・ユニット角度合せ部、３７ａ…第１位置合せ平面、３７ｂ…第２位置合せ平面、３１…締結ねじ、４５…雌型コネクタ、４５ａ…電源コネクタ、４５ｂ…信号コネクタ、ＰＡ…ハウジング投影領域
【図１】
2010105638.tif 000003
【図２】
2010105638.tif 000004
【図３】
2010105638.tif 000005
【図４】
2010105638.tif 000006
【図５】
2010105638.tif 000007
【図６】
2010105638.tif 000008
【図７】
2010105638.tif 000009
【図８】
2010105638.tif 000010
【図９】
2010105638.tif 000011
【図１０】
2010105638.tif 000012